(57)【特許請求の範囲】
【請求項１】
ポンプ部と上記ポンプ部を駆動させるポンプモータとを連結してポンプユニットを構成し、上記ポンプユニットの設置部分である基台にポンプユニットを取り付けるための介在部材をポンプユニットと基台との間に介在させてなるポンプ装置において、ポンプ部をポンプモータの上方位置に配置すると共に、ポンプ部で発生する漏水や結露水などの水をポンプモータに接触させないように下方に流す水通路を介在部材に設けたことを特徴とするポンプ装置。
【請求項２】
水通路を通って下方へ流した水を溜めておく貯水部を基台に設けたことを特徴とする請求項１に記載のポンプ装置。
【請求項３】
貯水部に溜まった水を外部に排出する排水部を基台に設けたことを特徴とする請求項２に記載のポンプ装置。
【請求項４】
水通路を介在部材と基台とで形成したことを特徴とする請求項１に記載のポンプ装置。
【請求項５】
介在部材の基台への位置決め規制をさせる案内部を備えたことを特徴とする請求項１に記載のポンプ装置。
【請求項６】
ポンプモータに連結する電気配線を貯水部に溜まった水に付着させないように位置規制する配線位置規制部を備えたことを特徴とする請求項２または請求項３に記載のポンプ装置。
【請求項７】
給水部から供給される洗浄水を洗浄ノズルに送り出すようにポンプ装置を備えた局部洗浄装置において、洗浄水を送り出すポンプ部と上記ポンプ部を駆動させるポンプモータとを連結してポンプユニットを構成すると共に、ポンプ部をポンプモータの上方位置に配置し、上記ポンプユニットの設置部分である基台にポンプユニットを取り付けるための介在部材をポンプユニットと基台との間に介在させ、上記介在部材にポンプ部で発生する漏水や結露水などの水をポンプモータに接触させないように下方に流す水通路を設けてポンプ装置を構成したことを特徴とする局部洗浄装置。
【発明の詳細な説明】
【０００１】
【発明の属する技術分野】
本発明は、局部洗浄装置に用いられるポンプ装置に関する発明である。
【０００２】
【従来の技術】
従来から、図１９及び図２０に示すように、ポンプ部３とポンプ部３を駆動させるポンプモータ４とを一体に連結してポンプユニット５を構成し、上記ポンプユニット５を基台６に取り付けることで構成したポンプ装置が局部洗浄装置に備えられるものであり、この局部洗浄装置にあっては、ポンプ装置のポンプ部３によって洗浄水を給水部である温水タンク１７から洗浄ノズル１６に送り出し、洗浄水を洗浄ノズル１６から用便者の局部に向って噴射させるようにしたものである。この局部洗浄装置に備えられるポンプ装置にあっては、ポンプユニット５のポンプ部３とポンプモータ４とが水平方向に並べて配置されており、すなわちポンプユニット５は横置きにされた状態で局部洗浄装置内に備えられるものであった。しかし、ポンプユニット５を横置きにすることは、ポンプ装置の局部洗浄装置内での設置面積が広く必要になるものであり、局部洗浄装置の小型化を阻害する要因の一つになるものであった。
【０００３】
【発明が解決しようとする課題】
本来的に局部洗浄装置にあっては小型化が要望されているものであり、その解決のためには、局部洗浄装置内の各種部材を効率的に配置すると共にポンプ装置の設置面積の縮小を図る必要がある。しかして、局部洗浄装置の下部に配置する必要のある洗浄ノズル１６を避けて温水タンク１７を局部洗浄装置の上部に配置し、温水タンク１７の近傍位置にポンプ部３を配置すると共に上記ポンプ部３の下部位置にポンプモータ４を配置するようにし、すなわちポンプユニット５を縦置きの状態にして設置面積を縮小させたポンプ装置を備えた局部洗浄装置にすることで、先の図１９，２０の局部洗浄装置に比べて小型化が図られるものであった。
【０００４】
しかし、上記構造の局部洗浄装置にあっては、ポンプ部３の下部位置にポンプモータ４が配置されていることから、ポンプ部３で発生する漏水や結露水等の水がポンプ部３の下方位置にあるポンプモータ４に付着してしまって、ポンプモータ４に錆びを発生させたり、ポンプモータ４が電気モータで構成された場合には漏電を発生させたりし、ポンプモータ４の正常な動作が確保できなくなるといった問題が発生してしまうものであった。また、この問題に対処するためにポンプモータ４に対して防水処理を施すと、ポンプ装置に新たな防水処理のための部材を備えさせねばならず、ポンプ装置の組立て性の低下やポンプ装置の設置スペースの増大などの弊害を招くものであった。
【０００５】
本発明は上記の点に鑑みてなされたものであり、局部洗浄装置の小型化を図るためにポンプ部をポンプモータの上方位置に配置してポンプ装置を構成した場合にあっても、ポンプ部で発生する漏水や結露水などの水のポンプモータへの付着を防止してポンプモータの正常な動作を図り得るようにしたポンプ装置及びこのポンプ装置を用いた局部洗浄装置を提供することを課題とするものである。
【０００６】
【課題を解決するための手段】
上記課題を解決するために本発明の請求項１に係るポンプ装置は、ポンプ部３と上記ポンプ部３を駆動させるポンプモータ４とを連結してポンプユニット５を構成し、上記ポンプユニット５の設置部分である基台６にポンプユニット５を取り付けるための介在部材２をポンプユニット５と基台６との間に介在させてなるポンプ装置において、ポンプ部３をポンプモータ４の上方位置に配置すると共に、ポンプ部３で発生する漏水や結露水などの水をポンプモータ４に接触させないように下方に流す水通路１を介在部材２に設けたことを特徴とする。これにより、ポンプ部３をポンプモータ４の上方位置に配置してポンプユニット５を構成したので、ポンプユニット５を縦置きの状態にできてポンプ装置の設置面積の減少が図られるものであり、そして、このポンプ装置にはポンプ部３で発生する漏水や結露水などの水をポンプモータ４に接触させないように下方に流す水通路１を設けたので、ポンプモータ４の上方位置にポンプ部３を配置しても、ポンプ部３で発生した水は水通路１によってポンプモータ４への付着が防止されてポンプモータ４に錆びや漏電の発生を防止でき、ポンプモータ４の正常動作を確保することができるものであり、また、この水通路１は基台６にポンプユニット５を取り付けるための介在部材２に設けたので、ポンプモータ４にポンプ部３で発生した水が付着しないようにするために特に新たな部品を用いないで済ませており、つまり、ポンプユニット５の構成の複雑化や組立て性の低下を伴わないでポンプモータ４の防水を図ることができるものである。
【０００７】
また、請求項２に係るポンプ装置は、請求項１において、水通路１を通って下方へ流した水を溜めておく貯水部を基台６に設けたことを特徴とする。ここで基台６にあっては介在部材２によりポンプモータ４とは一定の距離を有するものであるから、水通路１を通って下方へ流した水をポンプモータ４と離れた基台６に貯留してポンプモータ４に付着させないようにできるものであり、しかして、更なるポンプモータ４の防水性の向上、及びポンプモータ４の正常動作の確保が図られているのである。
【０００８】
また、請求項３に係るポンプ装置は、請求項２において、貯水部に溜まった水を外部に排出する排水部を基台６に設けたことを特徴とする。これにより、ポンプ部３で発生して水通路１で流下して基台６の貯水部で貯留された水を上記排水部を介して基台６より排水させることができ、しかして、更なるポンプモータ４の防水性の向上、及びポンプモータの正常動作の確保が図られているのである。
【０００９】
また、請求項４に係るポンプ装置は、請求項１において、水通路１を介在部材２と基台６とで形成したことを特徴とする。これにより、介在部材２を基台６から取り外すことで水通路１が分解・開放されるものであり、水汚れなどの付着し易い水通路１の清掃やメンテナンスを容易に行わせることができるものである。
【００１０】
また、請求項５に係るポンプ装置は、請求項１において、介在部材２の基台６への位置決め規制をさせる案内部を備えたことを特徴とする。これにより、案内部によりポンプユニット５を基台６に所定位置にガイドして配置させることができ、つまりは、ポンプユニット５の基台６への組立て性が向上したものである。
【００１１】
また、請求項６に係るポンプ装置は、請求項２または請求項３において、ポンプモータ４に連結する電気配線３７を貯水部に溜まった水に付着させないように位置規制する配線位置規制部を備えたことを特徴とする。これにより、ポンプモータ４に給電させる電気配線３７を配線位置規制部により貯水部に溜まった水に浸からせないようにでき、電気配線３７そのものでの漏電を防ぐことは勿論、表面張力等により電気配線３７を伝って水がポンプモータ４に侵入しようとすることをも無くすることができ、ポンプモータ４における錆びや漏電の発生の更なる防止を図ることができ、つまりは、ポンプモータ４の正常動作を強く確保することができるものである。
【００１２】
また、請求項７に係るポンプ装置を備えた局部洗浄装置は、給水部から供給される洗浄水を洗浄ノズル１６に送り出すようにポンプ装置を備えた局部洗浄装置において、洗浄水を送り出すポンプ部３と上記ポンプ部３を駆動させるポンプモータ４とを連結してポンプユニット５を構成すると共に、ポンプ部３をポンプモータ４の上方位置に配置し、上記ポンプユニット５の設置部分である基台６にポンプユニット５を取り付けるための介在部材２をポンプユニット５と基台６との間に介在させ、上記介在部材２にポンプ部３で発生する漏水や結露水などの水をポンプモータ４に接触させないように下方に流す水通路１を設けてポンプ装置を構成したことを特徴とする。これにより、ポンプ部３をポンプモータ４の上方位置に配置してポンプユニット５を構成したので、ポンプユニット５を縦置きの状態にしてポンプ装置の配置面積を小さくすることが図られており、そして、ポンプ部３で発生する漏水や結露水などの水をポンプモータ４に接触させないように下方に流す水通路１を設けたので、ポンプ部３で発生した水は水通路１によってポンプモータ４への付着が防止され、ポンプモータ４での錆びや漏電の発生を防止できてポンプモータ４の正常動作を確保することができるものであり、また、この水通路１は基台６にポンプユニット５を取り付けるための介在部材２に設けてあるので、ポンプモータ４にポンプ部３で発生した水が付着しないようにするために特に新たな部品を用いないで済むようにしており、つまり、ポンプユニット５の構成の複雑化に伴う大型化や組立て性の低下を避けることができるものであり、しかして、ポンプモータ４の防水を図りながらも、ポンプユニット５を縦置き状態にした設置面積が少なくて済むポンプ装置にできるものであり、そして、局部洗浄装置にこのポンプ装置を備えることで、支障無く局部洗浄装置の小型化を図ることができるものである。
【００１３】
【発明の実施の形態】
以下、本発明を添付図面に示す実施形態に基づいて説明する。
【００１４】
図１乃至１８に本発明の実施の形態の例を示す。図１８に示すように、便器７の上面のうち便座８の後部位置に設けられる局部洗浄装置Ａは、便座８に座った用便者の用便後に上記用便者の局部に向けて洗浄水を噴射して用便者の局部の洗浄を行うことを目的とした装置である。本例においては、便座８には便座８を加温させる便座温度可変手段９や便座８の温度を検出する便座温度検出手段１０を備えたものを用いており、また、局部洗浄装置Ａには、上述した用便者の局部に当てる洗浄水を噴射する洗浄手段１１の他に、便座８の温度や洗浄水の流量や温度を設定する操作手段１２を備えると共に、便座温度検出手段１０における入力信号及び用便者による操作手段１２の操作における入力信号によって便座温度可変手段９や洗浄手段１１を制御する制御手段１３を備えたものを用いている。
【００１５】
詳述すると、操作手段１２は便座操作部１２ａと洗浄操作部１２ｂとで構成されたものである。この便座操作部１２ａには便座温度の設定を変更させる便座温度操作キー１２ａ１が備えられており、また、洗浄操作部１２ｂには用便者の局部洗浄を開始させる洗浄操作キー１２ｂ１と、洗浄水の温度を設定する洗浄温度操作キー１２ｂ２と、洗浄水の噴射流量の増減を設定する洗浄流量操作キー１２ｂ３とが備えられている。
【００１６】
また、洗浄手段１１には洗浄水を加温させる洗浄温度可変手段１４と洗浄水の噴射流量を増減させる洗浄流量可変手段１５とを備えている。上記洗浄手段１１の具体的な構成としては図２に示すように、洗浄水を用便者の局部に噴射させる洗浄ノズル１６と、洗浄水を洗浄ノズル１６に供給する給水部である温水タンク１７と、上記洗浄ノズル１６と温水タンク１７とを連結する洗浄水水路１８の途中に配置して洗浄水を温水タンク１７から洗浄ノズル１６に至らしめるポンプ部３とで構成されるものである。ここで、洗浄温度可変手段１４は温水タンク１７には温水タンク１７内に貯留した洗浄水を加温させる温水タンク内蔵ヒータ等で構成され、また、洗浄流量可変手段１５はポンプ出力可変であるポンプ部３で構成される。なお、洗浄ノズル１６は、本例では、内部にバネが備えられ、洗浄ノズル１６内に流入した洗浄水の水圧の上昇によってバネに抗って押し出されることで前方に伸張して所定の洗浄位置に至らしめると共に、洗浄水の水圧の下降によってバネの弾性反力により後方に収縮するような構造のものを用いているが、例えば、モータ等を駆動源とするアクチュエータを使用して伸縮する洗浄ノズル１６を用いてもよいものである。
【００１７】
このような局部洗浄装置Ａにあっては、用便者により便座温度を所定温度に設定するように便座温度操作キー１２ａ１が操作されると、上記便座温度操作キー１２ａ１で入力された入力信号が制御手段１３に至り、上記制御手段１３により便座８が上記所定温度に維持されるように便座温度可変手段９が制御されるのである。また、用便者により洗浄水の温度や流量を所定温度や所定流量にするように洗浄温度操作キー１２ｂ２や洗浄流量操作キー１２ｂ３が操作されると、上記洗浄温度操作キー１２ｂ２や洗浄流量操作キー１２ｂ３で入力された入力信号が制御手段１３に至り、上記制御手段１３により洗浄水が上記所定温度や所定流量に維持されるように洗浄温度可変手段１４や洗浄流量可変手段１５が制御されるのである。そして、用便者によりオンの状態にするように洗浄操作キー１２ａ１が操作されると、上記洗浄操作キー１２ａ１で入力された入力信号が制御手段１３に至り、上記制御手段１３により洗浄手段１１の作動の開始がされ、つまり、ポンプ部３が作動し、洗浄水を温水タンク１７から洗浄ノズル１６に至らしめ、そして、上記洗浄水が洗浄ノズル１６から用便者の局部に噴射させるのである。
【００１８】
上記のように機能する局部洗浄装置Ａには、図２に示すように、上述した洗浄手段１１を構成するポンプ部３を１つの構成要素とするポンプ装置Ｂが備えられている。以下、このポンプ装置Ｂの具体的な構成につき詳述する。
【００１９】
ポンプ装置Ｂは、図７乃至図１２に示すポンプ部３とポンプモータ４とを一体に連結したポンプユニット５を、図５及び図６に示す介在部材２を介して、図１３乃至図１６に示す基台６に取り付けて構成されるものである（図１乃至４及び図１７）。
【００２０】
上記ポンプユニット５にあってはポンプ部３をポンプモータ４の上部位置に配置して構成されたものである。これは、従来技術の項でも述べたが、局部洗浄装置Ａはその小型化を図るにあたって、局部洗浄装置Ａの下部に設置された洗浄ノズル１６を避けるように温水タンク１７を局部洗浄装置Ａの上部位置に配置させるものである。そして、上記温水タンク１７から延出される洗浄水水路１８は洗浄水を洗浄ノズル１６に至らしめるポンプ部３に連結されるものであり、しかして、ポンプ部３は温水タンク１７の近傍位置である局部洗浄装置Ａの上部位置に配置されるのである。また、局部洗浄装置Ａの小型化を図るためには設置面積の縮小を図ったポンプ装置Ｂ、すなわちポンプユニット５を縦置きにすることが好ましいことから、上記ポンプ部３の下部位置にポンプモータ４が配置されているのである。
【００２１】
このポンプ部３は、ケーシング１９の内部中空１９ｃに１組の噛み合わさった歯車２０を水平方向に並設したギアポンプで構成されている。このケーシング１９は、上方に開口した容器状の本体部１９ａと上記本体部１９ａにシール部材を噛ませて蓋をする蓋部１９ｂとで形成される２部構成品であり、温水タンク１７から洗浄水が供給される入水口１８ａと洗浄ノズル１６に洗浄水を供給させる吐水口１８ｂとが上記１組の歯車２０の噛み合い部分に対して対称位置で内部中空１９ｃに連通するように設けられている。また、上記１組の歯車２０は、ケーシング１９の上下に回転軸が軸支されて回転自在にした従動歯車２０ａと、ポンプモータ４の出力軸４ａと共に回転する入力軸２１を回転軸とした駆動歯車２０ｂとで構成されている。
【００２２】
そして、このポンプ部３にあっては、ポンプモータ４を作動させると１組の歯車２０が噛み合い方向を吐水口１８ｂの方向に向けて噛み合いながら回転するものであり、このとき１組の歯車２０の噛み合い部分の前後には圧力差が形成されるものであって、上記圧力差によって入水口１８ａから内部中空１９ｃに取り込まれた洗浄水にエネルギーが付与され、上記洗浄水が勢いよく吐水口１８ｂから内部中空１９ｃ外に（つまり洗浄ノズルに向って）吐出されるといった作用をするのである。なお、ポンプモータ４の出力軸４ａの回転数、つまり１組の歯車２０の回転数を上げると、ポンプ部３が洗浄ノズル１６に送り出す洗浄水の流量が大きくなるものである。つまり、制御手段１３による洗浄水の流量の増減の制御は、ポンプモータ４の出力軸４ａの回転数の増減を制御することで行われるものである。
【００２３】
上記ポンプ部３はポンプモータ４に連結させてポンプユニット５を構成するものであるが、これは、図８乃至図１２に示すように、ポンプモータ４の上面を被覆するようにビス止めした連結部材２２にポンプ部３をビス止めして取り付けることで行われる。この連結部材２２にはポンプモータ４から上方に突出した出力軸４ａを覆うボックス状の軸連結ボックス部２２ａが形成されており、この軸連結ボックス部２２ａには下方に向けて突出されたポンプ部３の入力軸２１が挿入され、このとき、上記ポンプ部３の入力軸２１はポンプモータ４の出力軸４ａの略軸線延長上に位置され、そして、出力軸４ａと入力軸２１とは自在継手のような継手５１で連結されるのである。しかして、ポンプモータ４の出力軸４ａとポンプ部３の入力軸２１とは一体的に回転するようになっている。なお、図中２３は連結部材２２とポンプモータ４とを固着するビス等の固着具であり、また、図中２４はポンプ部３と連結部材２２とを固着すると共にポンプ部３のケーシング１９の蓋部１９ｂと本体部１９ａとを締め付け固定させる固着具である。ここで、ビス止め固定されるポンプ部３と連結部材２２との間には、連結部材２２の軸連結ボックス部２２ａの上面において止水部材５２を挟持させると共に、この止水部材５２に入力軸２１を貫通させており、つまり、漏水が予想される入力軸２１のポンプ部３からの突出部分に重点的に止水処理を施しているのである。なお、この連結部材２２の外周部分の１ヵ所にはポンプ部３から洗浄ノズル１６に至る洗浄水水路１８を構成する可撓ホースを支持するホース支持部２２ｂが形成されている。
【００２４】
ポンプユニット５を基台６に取り付ける介在部材２は、図５に示すように、ポンプモータ４の下端縁を配置させる円筒部２５と、ポンプモータ４の上部を保持するリング部２６と、上記円筒部２５とリング部２６とを連結する縦壁部２７と、基台６に取り付けられる取付片部２８とで主体が構成された略円筒形状の樹脂成形品である。リング部２６は、縦壁部２７の上端部分に設けられたブロック部２６ａと上記ブロック部２６ａから延出したベルト部２６ｂとで構成されている。ベルト部２６ｂにはその延出先端部分に係合孔２６ｂ１が設けられ、また、ブロック部２６ａには係合突起２６ａ１が設けられている。このリング部２６は、ベルト部２６ｂをリング状に撓ませて上記係合孔２６ｂ１にブロック部２６ａに設けた係合突起２６ａ１を係合させることで、ブロック部２６ａ及びベルト部２６ｂによってポンプモータ４の上部（本例ではポンプモータ４の上部に固定した連結部材２２）を締め付け保持できるようにしたものである。
【００２５】
また、縦壁部２７は断面矩形状の板状の部材であり、この縦壁部２７には上下に亙って水通路１が形成されている。この水通路１はポンプ部３で発生した水をポンプモータ４に付着させないようにして下方に流す流路である。そして、この水通路１はポンプモータ４が配置される介在部材２の内面には露出させないで、介在部材２の上端から下端に至るまで形成していればよいものであり、例えば図１及び図７に示す介在部材２のように、縦壁部２７の外面、円筒部２５の外面及び後述する円筒部２５の下端に設けた下端リング部２５ａの外面にまで、外方に開口すると共に内方に向って凹没させた水路溝１ａを形成し、縦壁部２７の上端から下端リング部２５ａにまで至る水通路１を構成させたものでもよく、また、例えば図５，６及び図８乃至図１２に示す介在部材２のように、外方に開口すると共に内方に向って凹没した水路溝１ａを縦壁部２７の外面における上下間の途中まで形成すると共に、上記縦壁部２７の上下間の途中より下方の縦壁部２７及び円筒部２５を上下に貫通させた貫通水路孔１ｂを上記水路溝１ａの下端から続けて形成し、縦壁部２７の上端から下端リング部２５ａにまで至る水通路１を構成させたものでもよい。なお、上記ブロック部２６ａにはその上端に下方に凹没させた水受け部２９が設けられると共に、上記水受け部２９と縦壁部２７の水通路１とを連通させる１対の水路孔３０が設けられている。
【００２６】
また、取付片部２８は、ブロック部２６ａから外径方向で斜め上方方向に延出した板片状の部材であり、この取付片部２８には位置決め孔３１と矩形状の爪係止孔３２とがそれぞれ１対貫通して設けられている。また、略円筒形状の介在部材２のうち縦壁部２７に対向する位置には、円筒部２５から延出したバンド部３３が設けられている。このバンド部３３にはその延出先端部分に連結部材２２を挿通させる係合孔３３ａが設けられている。また、円筒部２５の外周壁にあっては外径方向に１対の取付小片３４が設けられており、この取付小片３４にはそれぞれ位置決め孔３５が貫通して設けられている。また、円筒部２５の下端部分には外周壁より径を小さくしたリング状の下端リング部２５ａが設けられている。このように構成されて略円筒形状に形成される介在部材２は、縦壁部２７と取付片部２８との間、縦壁部２７と円筒部２５との間、ベルト部２６ｂとブロック部２６ａとの間、バンド部３３と円筒部２５との間にそれぞれ設けた折曲部３６をそれぞれ折り曲げることで図６に示すように展開できるようにしてある。
【００２７】
上記介在部材２をポンプユニット５に取り付けるにあたっては、図７乃至図１２に示すように行われる。つまり、ポンプモータ４の下端縁を円筒部２５に嵌めるように配置し、縦壁部２７の内面及びバンド部３３の内面をポンプモータ４の外周面に上下に亙って沿わせ、リング部２６をポンプモータ４の上部（本例ではポンプモータ４に装着した連結部材２２）に締め付けて保持させ、更にバンド部３３の係合孔３３ａに連結部材２２のホース支持部２２ｂを挿通、係合させ、略円筒形状にした介在部材２でポンプモータ４を内包させるようにして介在部材２はポンプユニット５に取り付けられるのである。このように、ポンプモータ４を内包させるようにポンプユニット５に取り付けた介在部材２にあっては、連結部材２２にリング部２６を強固に締め付けることから、ポンプユニット５に介在部材２を取り付けた状態では連結部材２２と介在部材２とは密着状態になっており、また、介在部材２の円筒部２５の下端リング部２５ａの内方にはポンプモータ４の下端から延出した電気配線３７が収納され、下端リング部２５ａの一部を切り欠いた電気配線導出部３８から電気配線３７のコネクタ３９を装着した先端部分が下端リング部２５ａの外方に導出されるようにしている。
【００２８】
さて、ポンプユニット５を設置する基台６にあっては、図１３乃至図１５に示すように、ポンプユニット５を設置する部分である基台凹部４０が設けられている。この基台凹部４０は、斜めに傾斜した略円柱状の空間をつくるように基台６に凹没させて形成した凹部であって、上方に開口４０ｃを有し、基台６の前方に向って垂直に程近い傾斜角度で斜め下方に傾斜した側面４０ａを有すると共に、基台６の前方に向って水平に程近い傾斜角度で斜め上方に傾斜した底面４０ｂを有するように形成されている。なお、この基台凹部４０は、洗浄ノズル１６が位置する洗浄ノズル配置凹所４１及びポンプユニット５に装着した介在部材２の取付片部２８を固定する取付台部４２に隣接する基台６の位置に設けられている。この取付台部４２は、上端に水平面である取付面４２ａを有すると共に、基台６の前方に向って基台凹部４０の側面４０ａと同傾斜角度で下方に傾斜した平面状の側部傾斜面４２ｂを有するようにして基台６の一部を上方に突出させて形成した台状の部位である。なお、上記取付面４２ａには上方に突出した１対の位置決め突起４３及び爪突起４４が形成されている。
【００２９】
上記基台凹部４０の側面４０ａのうち洗浄ノズル配置凹所４１に隣接する部分には、開口４０ｃから底面４０ｂに亙って上下に切り欠いて形成した切欠部４５が形成されており、また、基台凹部４０の底面４０ｂのうち最深部分の近傍位置には、底面４０ｂより下方位置にある水平面４６ａを有する水切り部４６が上記切欠部４５を通って洗浄ノズル配置凹所４１に至るように基台凹部４０の内外方向に亙るように形成されている。ここで、この切欠部４５は基台凹部４０に配置されたポンプユニット５のポンプモータ４から延出される電気配線３７を基台凹部４０の外方に導出させる部位である。また、水切り部４６には水平面４６ａから上方に突出した突条である位置規制リブ４７を３条備えている。この位置規制リブ４７における上端位置は少なくとも基台凹部４０の底面４０ｂの高さレベルより上方位置にあるように設定されている。
【００３０】
また、上記基台凹部４０の側面４０ａのうち基台凹部４０の底面４０ｂの最深部分にあたる部分は上記取付台部４２に隣接しており、この取付台部４２に隣接した基台凹部４０の側面４０ａの部分には開口４０ｃから底面４０ｂ近傍に亙って基台凹部４０の径を大きくするように側方に凹没させた位置決め凹所４８が形成されており、そして、上記位置決め凹所４８を通じて取付台部４２の側部傾斜面４２ｂが基台凹部４０に露出されているのである。つまり、取付台部４２の側部傾斜面４２ｂは位置決め凹所４８の一部を構成しているものである。また、基台６のうち基台凹部４０の開口周縁部分には１対の周縁位置決め突起４９が上方に突設しているものである。
【００３１】
ポンプユニット５を上記基台６に設置するにあたっては、上述したようにポンプユニット５に取り付けた介在部材２を介して、ポンプユニット５が基台６に取り付けられるものであるが、これは、基台６の基台凹部４０とポンプユニット５との間に介在部材２を介在させるようにして行われるものである。詳述すると、図１及び図３，４に示すように、介在部材２を装着したポンプユニット５は基台６の基台凹部４０の底面４０ｂに載せるようにして配置するものであり、このとき、図１７に示すように介在部材２の縦壁部２７を基台凹部４０の位置決め凹所４８内に嵌めると共に、介在部材２の取付小片３４の位置決め孔３５に基台６の周縁位置決め突起４９を嵌め、また、介在部材２の取付片部２８を取付台部４２の取付面４２ａに載置して取付片部２８の位置決め孔３１に取付台部４２の位置決め突起４３を嵌めるものであり、このように、ポンプユニット５は位置決めされて基台凹部４０に配置されるものである。つまり、介在部材２の基台６への位置決め規制をする案内部は、本例では、嵌まり合う介在部材２の縦壁部２７と基台凹部４０の位置決め凹所４８、同じく嵌まり合う介在部材２の取付小片３４の位置決め孔３５と基台６の周縁位置決め突起４９、また、同じく嵌まり合う取付片部２８の位置決め孔３１と取付台部４２の位置決め突起４３とで構成されるものである。
【００３２】
このように、案内部により位置決めされて基台凹部４０に配置されたポンプユニット５にあっては、介在部材２の取付片部２８を取付台部４２の取付面４２ａに押し付けて取付片部２８の爪係止孔３２に取付台部４２の爪突起４４を係止させ、ポンプユニット５の基台凹部４０への仮固定が行われるものである。そして、基台６の周縁位置決め突起４９及び位置決め突起４３にそれぞれ設けたビス孔に、少なくとも上記周縁位置決め突起４９や位置決め突起４３より径の大きなワッシャや頭部を有するビス等の固着具５０を打入させ、ポンプユニット５の基台凹部４０への本固定が行われるものである。なお、この介在部材２は、ポンプモータ４を内包させるようにしてポンプユニット５と基台凹部４０との間に介在されるものであるから、介在部材２を成形する樹脂にゴムやエラストマーやシリコンやウレタン等の軟質樹脂を用いると、ポンプモータ４の振動を介在部材２で低減させることができると共にポンプモータ４の振動を基台６に伝達させないようにできるものであって好ましいものである。
【００３３】
上述したように基台凹部４０に固定したポンプユニット５にあっては、図１や図１７に示すように、位置決め凹所４８内に介在部材２の縦壁部２７が位置して、つまり、取付台部４２の側部傾斜面４２ｂに介在部材２の縦壁部２７の外面が沿うように配置されており、しかして、取付台部４２の側部傾斜面４２ｂと対向する縦壁部２７の外面との間には、縦壁部２７の外面に形成された水路溝１ａと取付台部４２の側部傾斜面４２ｂとが合わさって管路状になった水通路１が上下に亙って形成されている。なお、この水通路１はその上端部分では水路孔３０により水受け部２９に連通しているものである。
【００３４】
従来技術の項で述べたようにポンプ部３では漏水や結露水により水が発生する場合があるが、本例ではポンプユニット５は斜めに傾斜した状態で基台凹部４０に配置されており、しかして、ポンプ部３に発生した水はポンプ部３のケーシング１９及び連結部材２２に沿って流下して介在部材２の水受け部２９に集水されるようになっているものである。そして、上記水受け部２９に集水された水は、水路孔３０を通って水通路１に入り、水通路１を流下して基台凹部４０の底面４０ｂの最深部分に至って貯留されるものである。ここで、基台凹部４０に本固定されたポンプユニット５のポンプモータ４における下端位置は、介在部材２の下端リング部２５ａによって、少なくとも水切り部４６の高さレベルよりも上方位置に位置されているものである。そして、基台凹部４０の底面４０ｂの最深部分で貯留された水は一定量貯留されると、水切り部４６にも貯留されるようになる。つまり、水通路１を通って下方へ流した水を溜めておく貯水部とは、本例では、基台凹部４０の底面４０ｂの最深部分及び水切り部４６とで構成されるものである。そして、水切り部４６に流入した水は、切欠部４５を通って洗浄ノズル配置凹所４１に流れるものであり、最終的に洗浄ノズル配置凹所４１から便器７に滴り落とされるものである。つまり、貯水部に溜まった水を排出する排水部とは、切欠部４５と水切り部４６とで構成されるものである。このように、本例のポンプ装置Ｂにあっては、ポンプ装置Ｂ及び局部洗浄装置Ａの小型化を図ってポンプ部３をポンプモータ４の上方位置に配置した構成のポンプユニット５を用いているが、ポンプ部３で発生した水は、水受け部２９、水通路１、貯水部及び排水部を通り、ポンプモータ４に付着させずにポンプ装置Ｂ外（本例では便器７）に流すことができるものであり、しかして、ポンプモータ４に錆びや漏電などを発生させることなく、ポンプ装置Ｂひいては局部洗浄装置Ａの正常動作を確保することができるものである。
【００３５】
なお、上記水通路１にあっては、ポンプユニット５を基台凹部４０に取り付ける介在部材２に設けた水路溝１ａや貫通水路孔１ｂで形成しているので、ポンプモータ４の防水性を期しながらも水通路１を形成させる専用の部材を設けるといったことがなく、部品点数の増加を抑えると共にポンプ装置Ｂの構造の複雑化を抑え、ポンプ装置Ｂひいては局部洗浄装置Ａの組立て性の低下を避け得るものである。また、上記水通路１にあっては、図１及び図７の介在部材２の場合では水通路１の全体、図５，６及び図８乃至図１２の介在部材２の場合では水通路１の一部を、介在部材２の水路溝１ａと取付台部４２の側部傾斜面４２ｂとを合わせて管状に形成させているので、この部分の水通路１では、ポンプユニット５を基台凹部４０から取り外すと、２分割されて開放された状態になり、しかして、水汚れなどが付着し易い水通路１の洗浄やメンテナンス等を容易に行い得るといった利点も有しているものである。また、上述したように介在部材２の下端リング部２５ａの内方位置にはポンプモータ４に電気を供給させる電気配線３７が収納されているが、上記電気配線３７は水切り部４６に配置されて配線位置規制部を構成する位置規制リブ４７によって位置規制がされており、この位置規制リブ４７はその上端位置が基台凹部４０の底面の高さレベルより上方位置にあるように形成されていることから、電気配線３７は基台凹部４０の底面の最深部分や水切り部４６である貯水部に貯留された水に浸からせないように位置させることができ、しかして、電気配線３７そのものでの漏電を防ぐことは勿論、表面張力等により電気配線３７を伝って水がポンプモータ４に侵入しようとすることも無くすることができて、ポンプモータ４における錆びや漏電の発生の防止を図ることができ、つまりは、ポンプモータ４の正常動作を強く確保することができるものである。
【００３６】
【発明の効果】
上記のように本発明の請求項１記載のポンプ装置にあっては、ポンプ部と上記ポンプ部を駆動させるポンプモータとを連結して構成されるポンプユニットがそのポンプ部をポンプモータの上方位置に配置して構成されたので、ポンプユニットを縦置きの状態にできてポンプ装置の設置面積の減少を図ることができ、そして、このポンプ装置にはポンプ部で発生する漏水や結露水などの水をポンプモータに接触させないように下方に流す水通路を設けたので、ポンプモータの上方位置にポンプ部を配置しても、ポンプ部で発生した水は水通路によってポンプモータに付着しないように排水できるものであり、つまり、ポンプモータに錆びや漏電を発生させることなくポンプモータの正常動作を確保することができるものであり、また、この水通路は基台にポンプユニットを取り付けるための介在部材に設けたので、ポンプモータにポンプ部で発生した水が付着しないようにするために特に新たな部品を用いないで済ませることができ、つまり、ポンプユニットの構成の複雑化や組立て性の低下を伴わないでポンプモータの防水を図ることができるものである。しかして、ポンプユニットを縦置きの状態にしてポンプ装置の設置に必要な面積を減少させているにも関わらず、ポンプモータの上部位置に配置されたポンプ部で発生する水に対してポンプモータは簡単な構成により防水処理が施されており、ポンプモータの正常動作の確保が図られているものである。
【００３７】
また、請求項２に係るポンプ装置にあっては、請求項１の効果に加えて、水通路を通って下方へ流した水を溜めておく貯水部を基台に設けたので、ここで基台は介在部材によりポンプモータとは一定の距離を有するものであるから、水通路を通って下方へ流した水をポンプモータから離れた基台に貯留してポンプモータに付着させないようにできるものであり、しかして、更なるポンプモータの防水性の向上、及びポンプモータの正常動作の確保が図られているのである。
【００３８】
また、請求項３に係るポンプ装置にあっては、請求項２の効果に加えて、貯水部に溜まった水を外部に排出する排水部を基台に設けたので、ポンプ部で発生して水通路で流下して基台の貯水部で貯留された水は上記排水部を介して基台より排水させることができ、しかして、更なるポンプモータの防水性の向上、及びポンプモータの正常動作の確保が図られているのである。
【００３９】
また、請求項４に係るポンプ装置にあっては、請求項１の効果に加えて、水通路を介在部材と基台とで形成したので、介在部材を基台から取り外すことで水通路が分解・開放されるものであり、水汚れなどの付着し易い水通路の清掃やメンテナンスを容易に行わせることができるものである。
【００４０】
また、請求項５に係るポンプ装置にあっては、請求項１の効果に加えて、介在部材の基台への位置決め規制をさせる案内部を備えたので、案内部によってポンプユニットを基台に所定位置にガイドして配置させることができ、つまりは、ポンプユニットの基台への組立て性を向上させているものである。
【００４１】
また、請求項６に係るポンプ装置にあっては、請求項２または請求項３の効果に加えて、ポンプモータに連結する電気配線を貯水部に溜まった水に付着させないように位置規制する配線位置規制部を備えたので、ポンプモータに給電させる電気配線を配線位置規制部により貯水部に溜まった水に浸からせないようにでき、電気配線そのものでの漏電を防ぐことは勿論、表面張力等により電気配線を伝って水がポンプモータに侵入しようとすることをも無くすることができて、ポンプモータにおける錆びや漏電の発生の更なる防止を図ることができ、つまりは、ポンプモータの正常動作を強く確保することができるものである。
【００４２】
また、請求項７に係るポンプ装置を備えた局部洗浄装置にあっては、ポンプ部をポンプモータの上方位置に配置してポンプユニットを構成したので、ポンプユニットを縦置きの状態にしてポンプ装置の配置面積を小さくすることが図られており、また、ポンプ部で発生する漏水や結露水などの水をポンプモータに接触させないように下方に流す水通路を設けたので、ポンプ部で発生した水は水通路によってポンプモータへの付着が防止されてポンプモータでの錆びや漏電の発生を防止でき、ポンプモータの正常動作を確保することができるものであり、また、この水通路は基台にポンプユニットを取り付けるための介在部材に設けてあるので、ポンプモータにポンプ部で発生した水が付着しないようにするために特に新たな部品を用いないで済むようにしており、つまり、ポンプユニットの構成の複雑化に伴う大型化や組立て性の低下を避けることができるものであり、しかして、ポンプモータの防水を図りながらも、ポンプユニットを縦置き状態にした設置面積が少なくて済むポンプ装置にできるものであり、そして、局部洗浄装置にこのポンプ装置を備えることで、支障無く局部洗浄装置の小型化を図ることができるものである。
【図面の簡単な説明】
【図１】本発明の実施の形態の例を示すポンプ装置の側面断面図である。
【図２】同上のポンプ装置を備えた局部洗浄装置の内部を示す斜視図である。
【図３】同上のポンプ装置の前方から見た斜視図である。
【図４】同上のポンプ装置の後方から見た斜視図である。
【図５】同上の介在部材を示すものであり、（ａ）はバンド部方向から見た斜視図であり、（ｂ）は縦壁部方向から見た斜視図である。
【図６】同上の介在部材の展開させた状態を示す斜視図である。
【図７】同上のポンプユニットの斜視図である。
【図８】同上のポンプユニットの正面図である。
【図９】同上のポンプユニットの上面図である。
【図１０】同上のポンプユニットの下面図である。
【図１１】図８のＣ−Ｃ線断面図である。
【図１２】図１１のＤ−Ｄ線断面図である。
【図１３】同上の基台の上方から見た斜視図である。
【図１４】同上の基台の側方から見た斜視図である。
【図１５】同上の基台の上面図である。
【図１６】同上の基台の側面断面図である。
【図１７】同上の基台にポンプユニットを取り付けた状態の部分水平断面図である。
【図１８】同上の局部洗浄装置を説明するものであり、（ａ）は局部洗浄装置の機能を示すブロック図であり、（ｂ）は便器に局部洗浄装置を備えた状態を示す側面図である。
【図１９】従来技術の局部洗浄装置の内部を示す上面図である。
【図２０】同上の局部洗浄装置の内部を示す正面図である。
【符号の説明】
１  水通路
２  介在部材
３  ポンプ部
４  ポンプモータ
５  ポンプユニット
６  基台
３７  電気配線
Ａ  局部洗浄装置
Ｂ  ポンプ装置
【図１】
0004665363.tif 000002
【図２】
0004665363.tif 000003
【図３】
0004665363.tif 000004
【図４】
0004665363.tif 000005
【図５】
0004665363.tif 000006
【図６】
0004665363.tif 000007
【図７】
0004665363.tif 000008
【図８】
0004665363.tif 000009
【図９】
0004665363.tif 000010
【図１０】
0004665363.tif 000011
【図１１】
0004665363.tif 000012
【図１２】
0004665363.tif 000013
【図１３】
0004665363.tif 000014
【図１４】
0004665363.tif 000015
【図１５】
0004665363.tif 000016
【図１６】
0004665363.tif 000017
【図１７】
0004665363.tif 000018
【図１８】
0004665363.tif 000019
【図１９】
0004665363.tif 000020
【図２０】
0004665363.tif 000021